(57)【特許請求の範囲】
【請求項１】
前後方向および幅方向と、身体側内面および着衣側外面と、前ウエスト域、後ウエスト域、前記前後ウエスト域間に位置する股下域と、少なくとも前記股下域に配置される吸液構造体とを含むシャーシを有し、前記吸液構造体は、前記前後方向に対向離間する第１端部と第２端部とを含み、前記第１端部は第１接合域を介して前記前ウエスト域に接合し、前記第２端部は第２接合域を介して前記後ウエスト域に接合する着用物品において、
前記シャーシは、前記前後ウエスト域の前記身体側内面を形成する内面シートと、前記前後ウエスト域の前記着衣側外面を形成する外面シートとを含むとともに、前記前後ウエスト域の前記前後方向に離間対向するウエスト側開口縁と、前記前後ウエスト域において前記物品着用者の肌が透視される透視可能領域とを含み、
前記透視可能領域は前記前後ウエスト域における前記吸液構造体の非接合域に形成され、
前記透視可能領域は、全光線透過率が５５％以上のシートによって形成され、前記前後ウエスト域の４０％以上を占めるとともに、前記シャーシの破れに対する補強手段が前記ウエスト側開口縁に沿って前記幅方向に取り付けられ、
前記内外面シートは、繊維不織布で構成される別々のシートから形成され、前記ウエスト側開口縁は、前記内外面シートを構成する前記繊維不織布の折曲部によって形成され、
前記吸液構造体は、折り曲げた前記内外面シートを構成する前記繊維不織布で覆われず、
前記補強手段は、前記前後ウエスト域を前記幅方向に収縮可能な弾性部材であり、前記内外面シートの少なくとも一方に接合され、前記前後方向に離間対向する前記ウエスト側開口縁のいずれか一方又は両方において、前記補強手段が前記折曲部の頂部の内側面に伸長状態で隙間がないように接触して接着剤を介して取り付けられることを特徴とする前記着用物品。
【請求項２】
前記前後ウエスト域には、前記前後方向に間欠的に並ぶとともに前記幅方向に延びる複数条のウエスト弾性部材が取り付けられる請求項１記載の着用物品。
【請求項３】
前記内外面シートは、厚さ方向に貫通する複数の貫通孔が形成されていることを特徴とする請求項１または２に記載の着用物品。
【請求項４】
前記折曲部は、前記内外面シートのいずれか一方を折り曲げて形成される、請求項１〜３のいずれかに記載の着用物品。
【発明の詳細な説明】
【技術分野】
【０００１】
この発明は、例えば使い捨てのおむつ、排便トレーニングパンツ、失禁ブリーフ等の着用物品に関する。
【背景技術】
【０００２】
従来、使い捨てのおむつにおいて、おむつ内部を透視可能にした構造として、例えば特開２００４−１４１６４０号公報（特許文献１）が公知である。この特許文献１によれば、おむつは前後ウエスト域および股下域と、着用者側内面および着衣側外面を含む吸液性シャーシと、前後ウエスト域の幅方向に取り付けられたウエスト弾性部材とを含む。吸液性シャーシは、着用者側内面に位置する内面シートと、着衣側外面に位置する外面シートとを含み、少なくとも外面シートを繊維不織布で形成するとともに、この繊維不織布の繊度および坪量を低くして、光線透過率を高くしている。このように光線透過率を高くすることによっておむつ内部を透視可能にしている。
【先行技術文献】
【特許文献】
【０００３】
【特許文献１】特開２００４−１４１６４０号公報
【発明の開示】
【発明が解決しようとする課題】
【０００４】
暑い季節や地域では、使い捨てのおむつのような着用物品は、通気性がよいことはもちろんのこと、見た目にも涼しげであることが望ましい。そこで、通気性や見た目の涼しさを確保するために、前後胴周り域におけるシャーシの繊維不織布の繊度や坪量を低くして光線透過率を高くし、着用者の肌を透視可能にすることが考えられる。しかし、繊維不織布の繊度や坪量を低くすれば、引っ張り強度や引き裂き強度が低くなりがちであり、破れやすいという問題があった。特にウエスト側開口縁では伸長や収縮が繰り返され、破れやすいという問題が顕著になる。
【０００５】
本発明では、物品着用者の肌を透視可能にするとともに、破れにくい着用物品を提供することを課題とする。
【課題を解決するための手段】
【０００６】
本発明は、前後方向および幅方向と、身体側内面および着衣側外面と、前ウエスト域、後ウエスト域、前記前後ウエスト域間に位置する股下域とを含むシャーシを有する着用物品の改良に関わる。
【０００７】
本発明は前記着用物品において、前記シャーシは、前記前後ウエスト域の前記身体側内面を形成する内面シートと、前記前後ウエスト域の前記着衣側外面を形成する外面シートとを含むとともに、前記前後ウエスト域の前記前後方向に離間対向するウエスト側開口縁と、前記前後ウエスト域において前記物品着用者の肌が透視される透視可能領域とを含み、前記透視可能領域は、全光線透過率が５５％以上のシートによって形成され、前記前後ウエスト域の４０％以上を占めるとともに、前記シャーシの破れに対する補強手段が前記ウエスト側開口縁に沿って前記幅方向に取り付けられ、前記内外面シートは、繊維不織布で構成される別々のシートから形成され、前記ウエスト側開口縁は、前記内外面シートを構成する前記繊維不織布の折曲部によって形成され、前記補強手段は、前記前後ウエスト域を前記幅方向に収縮可能な弾性部材であり、前記内外面シートの少なくとも一方に接合され、前記前後方向に離間対向する前記ウエスト側開口縁のいずれか一方又は両方において、前記補強手段が前記折曲部の頂部の内側面に伸長状態で隙間がないように接触して取り付けられることを特徴とする。
【０００８】
好ましい他の実施態様のひとつとして、前記内外面シートは、厚さ方向に貫通する複数の貫通孔が形成されている。
【０００９】
好ましい他の実施態様のひとつとして、前記前後ウエスト域には、前記前後方向に間欠的に並ぶとともに前記幅方向に延びる複数条のウエスト弾性部材が取り付けられる。
【００１０】
好ましい他の実施態様のひとつとして、前記シャーシは、少なくとも前記股下域に配置される吸液構造体を含み、前記吸液構造体は、前記前後方向に対向離間する第１端部と第２端部とを含み、前記第１端部は第１接合域を介して前記前ウエスト域に接合し、前記第２端部は第２接合域を介して前記後ウエスト域に接合し、前記前後ウエスト域における前記吸液構造体の非接合域において前記透視可能領域が形成される。
【００１１】
好ましい他の実施態様のひとつとして、前記折曲部は、前記内外面シートのいずれか一方を折り曲げて形成される。
【発明の効果】
【００１２】
重ねあった繊維不織布どうしの内側であってウエスト側開口縁に沿って、補強手段が配置されているので、おむつのウエスト側開口縁が伸長と収縮とを繰り返しても、ウエスト側開口縁は補強手段によって補強される。したがっておむつが破れるのを防止することができる。
【図面の簡単な説明】
【００１３】
【図１】本発明の第１の実施形態を示す斜視図である。
【図２】図１のＩＩ−ＩＩ線端面図である。
【図３】図１のおむつを展開したときの平面図である。
【図４】本発明の第２の実施形態を示す斜視図である。
【図５】図４のＶ−Ｖ線端面図である。
【発明を実施するための形態】
【００１４】
図１〜３は、本発明の着用物品の一例としての使い捨ておむつについての第１の実施形態を示したものである。図１はおむつが着用されたときの状態を示し、説明しやすいようにその一部を切り欠いている。図示したように、シャーシＡは、おむつは前ウエスト域１および後ウエスト域２を構成し周方向Ｒに環を形成するベルト部材４と、前後ウエスト域１，２間に位置する股下域３を構成する吸液構造体５とを含む。
【００１５】
ベルト部材４は、前ウエスト域１に位置する前ベルト部６と、後ウエスト域２に位置する後ベルト部７とを有し、これら前後ベルト部６，７の周方向Ｒの側縁８，９の対向面が重なり合い、高さ方向Ｚに間欠的並ぶ複数の側縁接合部１０によって形成されたシーム部１１を有する。このように側縁接合部１０で前後ベルト部６，７が接合されることにより、ウエスト開口が画成される。
【００１６】
前ベルト部６は身体側内面１２を構成する内面シート１４と着衣側外面１３を構成する外面シート１５とを含み、後ベルト部７は、身体側内面１２を構成する内面シート１６と着衣側外面１３を構成する外面シート１７とを含んでいる。前ベルト部６の内外面シート１４，１５および後ベルト部７の内外面シート１６，１７は、それぞれ一枚の繊維不織布を、折曲部３４を介して折り曲げて形成されている。内外面シート１４，１５および１６，１７を形成している各繊維不織布の全光線透過率は８０％以上である。全光線透過率が８０％以上の繊維不織布を折り曲げて二枚に重ね合わせると、その重ね合わせた内外面シート１４，１５および１６，１７の全光線透過率が６６％以上になり、着用者の肌が透視可能となる。この全光線透過率の測定結果を表１に示した。
【００１７】
【表１】
0005762465.tif 000002
【００１８】
表１について、内外面シート１４，１５および１６，１７に用いた繊維不織布の種類をＡ，Ｂ，Ｃ，Ｄで示し、それら各種類の繊維不織布の一枚の場合の全光線透過率の平均と、二枚に重ねた場合の全光線透過率の平均を示している。なお、各種類の繊維不織布のサンプル数はＮ＝５である。繊維不織布としては、スパンボンド法、メルトブローン法、ポイントボンド法、スルーエアー法などにより得られた一般的なものを用いることができる。内外面シート１４，１５は一枚の繊維不織布を二枚に折り重ねられ、内外面シート１６，１７も一枚の繊維不織布を二枚に折り重ねられているので、当然のことながら内外面シート１４，１５は同じ種類の繊維不織布であり、内外面シート１６，１７も同じ種類の繊維不織布が用いられる。前後ベルト部６，７でも同じ種類の繊維不織を用いているので、ひとつのおむつにおける内外面シート１４，１５，１６，１７はすべて同じ種類の繊維不織布が用いられることが多い。
全光線透過率はＪＩＳ−Ｋ７１０５に基づいて測定し、具体的には交照測光式色差計  Ｚ−３００Ａ（日本電色工業株式会社）を用い、幅５０ｍｍ、長さ４０ｍｍにサンプルを採取し、濁度計にこのサンプルを挟んで測定した。
【００１９】
上記のような繊維不織布を用いて形成された内外面シート１４，１５の間および内外面シート１６，１７の間であって、縦方向Ｚの最上部に位置するウエスト側開口縁１９には、補強手段として糸状の補強弾性部材３５を備えている。補強弾性部材３５は周方向Ｒに伸長状態で延びている。補助弾性部材３５の縦方向Ｚの股下域３側すなわち図面下方には、間欠的に配置された複数条のウエスト弾性部材１８が取り付けられている。ウエスト弾性部材１８は内外面シート１４，１５および１６，１７の間に取り付けられ、周方向Ｒに伸長状態で延びている。補強弾性部材３５は、ウエスト弾性部材１８と同様のものであるが、ウエスト側開口縁１９に取り付けることによって、補強弾性部材３５としている。これら補強弾性部材３５およびウエスト弾性部材１８は内外面シート１４，１５の少なくとも一方あるいは内外面シート１６，１７の少なくとも一方に接着剤（図示せず）を介して接合している。
【００２０】
補強弾性部材３５が取り付けられたウエスト側開口縁１９の拡大図を図２に示している。図２は、図１のＩＩ−ＩＩ線端面図である。図は内外面シート１４，１５について示したものであるが、内外面シート１６，１７についても同様であるので同時に説明する。図示したように、補強弾性部材３５は、内外面シート１４，１５および内外面シート１６，１７の折曲部３４の内側であって、ウエスト側開口縁１９に沿って取り付けられる。すなわち、補強弾性部材３５と折曲部３４との間にはほとんど隙間がなく、補強弾性部材３５はウエスト側開口縁１９を形成する内外面シート１４，１５および１６，１７に接触している。補強弾性部材３５を前後ベルト部６，７のウエスト側開口縁１９に位置させることによって、ウエスト側開口縁１９の繊維不織布の引っ張り強度や引き裂き強度を補強することができ、これを破れにくくすることができる。また、内外面シート１４，１５および１６，１７は補強弾性部材３５に沿って折り曲げることができるから、折り曲げやすいという効果を発揮することもできる。
【００２１】
補強弾性部材３５がウエスト側開口縁１９に取り付けられているが、補強弾性部材３５がウエスト側開口縁１９との間隔をあけて、図面下方に取り付けられた場合には、補強弾性部材３５とウエスト側開口縁１９との間のシートが周方向Ｒの外側に広がるようにフリルを形成する。このように形成されたフリルは見た目に煩わしさがあり、肌に刺激を与える。これに対して本実施形態では、フリルが形成されないから、見た目にすっきりした印象を与え、肌への刺激を防止することができる。
補強弾性部材３５から縦方向Ｚの直近にあるウエスト弾性部材１８までの間隔、およびウエスト弾性部材１８どうしの間隔は、８〜１０ｍｍとなるように取り付けられ、これら補強弾性部材３５およびウエスト弾性部材１８の伸長倍率を１．５〜３．０倍としている。
【００２２】
以上のような補強弾性部材３５を取り付けたベルト部４と吸液構造体５によって図１に示すシャーシＡを形成している。図１に示す吸液構造体５は、身体側内面１２を構成する透液性表面シート２１と、着衣側外面１３を構成する不透液性裏面シート２２と、これら表裏面シート２１，２２の間に介在し図示しないティッシュペーパ等で包まれた吸液性コア２３とを含み、吸液性コア２３は表裏面シート２１，２２の少なくともいずれか一方に固着される。裏面シート２２として透湿性かつ不透液性のフィルムを用いることができるが、この場合には、スパンボンド法やスルーエアー法などにより得られた繊維不織布を別に張り合わせて、肌触りを向上させることもできる。
【００２３】
吸液構造体５は、股下域３を前後方向Ｙに延びるとともに、前後方向Ｙに対向離間する第１端部２４と第２端部２５とを含む。第１端部２４の不透液性裏面シート２２を前ベルト部６の内面シート１４に接合し、吸液構造体５と前ベルト部６とが重なった部分を第１接合域２６としている。第２端部２５の不透液性裏面シート２２を後ベルト部７の内面シート１６に接合し、吸液構造体５と後ベルト部７とが重なった部分を第２接合域２７としている。前ウエスト域１における第１接合域２６以外の領域と、後ウエスト域２における第２接合域２７以外の領域とが、着用者の肌を透視する透視可能領域である。
前後ベルト部６，７と吸液構造体５との接合によって、前後ベルト部６，７の股下側開口端２０と吸液構造体５の前後方向Ｙに延びる一対の側縁２８とが脚周り開口２９を形成する。
【００２４】
図３は図１の側縁接合部１０をはずし、おむつを前後方向Ｙに展開して得られる平面図である。この図３では、補強弾性部材３５ウエスト弾性部材１８および股下弾性部材３１は伸長状態にあり、収縮付勢しない状態を示している。
図示したように、吸液構造体５の表裏面シート２１，２２はほぼ矩形を有し、吸液性コア２３はほぼ砂時計形を有している。すなわち、吸液性コア２３は、前後方向Ｙを二等分する横中心線Ｑ近傍においては、第１端部２４および第２端部２５よりもその幅方向Ｘの距離が短くなるように湾曲して切り欠かれている。
【００２５】
吸液構造体５の両側縁２８では、表裏面シート２１，２２が吸液性コア２３から延出して対向し、サイドフラップ３０が形成されるが、吸液性コア２３が砂時計形を有することによって、横中心線Ｑ近傍ではサイドフラップ３０の面積が大きくなるようにしている。表裏面シート２１，２２間には両側縁２８に沿って前後方向Ｙに延びる股下弾性部材３１が伸長状態で配置されている。この股下弾性部材３１の収縮によって、両側縁２８が着用者の脚周りに密着し、サイドフラップ３０によって脚周りとおむつの脚周り開口２９との間から尿などの排泄物が漏れるのを防止している（図１参照）。
【００２６】
前後ベルト部６，７のそれぞれと吸液構造体５とが重なっている第１および第２接合域２６，２７は、第２接合域２７の方が第１接合域２６よりも狭くなるようにしている。吸液構造体５には吸液性コア２３が含まれるから、吸液構造体５を介して着用者の肌が透視されることはなく、第１および第２接合域２６，２７の面積が狭いほど、透視可能領域が広くなる。したがって、後ウエスト域２での透視可能領域が、前ウエスト域１でのそれよりも広くなる。後ウエスト域２が位置する着用者の尻や背中は、前ウエスト域１が位置する腹よりもむれやかぶれが発生しやすいことから、後ウエスト域２における透視可能領域を広くして、前ウエスト域１よりも高い通気性を発揮できるようにしている。
【００２７】
第１接合域２６および第２接合域２７の面積が前後ベルト部６，７の面積の約２５％としている。すなわち、非接合域である透視可能領域を前後ウエスト域１，２の面積の７５％としている。ただし、透視可能領域は、前後ウエスト域１，２の少なくとも４０％以上であればよい。透視可能領域は、図３に示す展開した状態で測定している。具体的には、補強弾性部材３５ウエスト弾性部材１８および股下弾性部材３１が伸長状態にあり、あるいは、これら弾性部材が取り付けられていない状態で、透視可能領域の面積を測定している。前後ウエスト域１，２を形成する前後ベルト部６，７および第１および第２接合域２６，２７の面積の測定も、透視可能領域の面積の測定と同条件で行われる。また、おむつを形成した際にシーム部１１を形成する部分は、除いて測定している。
【００２８】
第１および第２接合域２６，２７は前後ベルト部６，７の幅方向Ｘに対してほぼ中心部に形成され、前後ベルト部６，７の幅方向Ｘの左右側には、両側縁８，９を含む吸液構造体５が接合されない部分が形成される。したがって、吸液構造体５が重なっていない透視可能領域は、横中心線Ｑ−Ｑに向いたコ字状になっている。すなわち、吸液構造体５の第１端部２４よりも前後方向Ｙ外側、第２端部２５よりも前後方向Ｙ外側には透視可能領域が広がるから、着用者がこのおむつを着用したときには着用者の両脇、腹部、背部に亘り、ウエストを一周して着用者の肌が透視可能となる。
【００２９】
上記のようなおむつを用い、通気性や清涼感についてアンケート調査を行った。前記表１で全光線透過率約６６％の内外面シート１４，１５および１６，１７を得ることができたが、全光線透過率は５５％以上で透視可能であった。したがって、この実施形態として全光線透過率が５５％以上のおむつを用い、この実施形態のおむつと全光線透過率が５５％未満のおむつとを乳幼児に着用させ、乳幼児の親に「肌がむれなさそうに見えるか」「涼しそうに見えるか」についてアンケートを行った。このアンケート結果を表２に示している。「肌がむれなさそうに見えるか」とのアンケートについては親１０人からの結果をまとめ、「涼しそうに見えるか」とのアンケートについては親１３人からの結果をまとめたものである。
【００３０】
【表２】
0005762465.tif 000003
【００３１】
表２に示したように、「肌がむれなさそうに見えるか」とのアンケートに対して、全光線透過率５５％未満のおむつではそう見えると答えた親が１人であり、あまり見えない、全く見えないと答えた親が合わせて８人であった。これに対して本実施形態のおむつでは、非常にそう見える、そう見えると答えた親が合わせて９人であり、あまり見えない、全く見えないと答えた親が０人であった。「涼しそうに見えるか」とのアンケートに対して、全光線透過率５５％未満のおむつでは涼しそうに見えると答えた親が３人、あまり見えない、全く見えないと答えた親が８人であった。これに対して、本実施形態のおむつでは非常にそう見える、そう見えると答えた親が１０人であり、あまり見えない、全く見えないと答えた親は０人であった。このようにむれについては９０％、涼しさについては約７７％の親が本実施形態のおむつに好感を抱く結果となった。
【００３２】
表２に示したアンケート結果から、全光線透過率を５５％以上にすることによって、むれがなく、涼しそうに見えるおむつを提供できることが実証された。このように全光線透過率を高くした場合には、繊維不織布の繊度や坪量が低くなることが多く、繊維不織布が破れやすくなるが、繊維不織布がもっとも破れやすいウエスト側開口縁１９において、補強弾性部材３５を配置させているので、このウエスト側開口縁１９における繊維不織布の強度を補強することができ、破れにくくすることができる。前後ウエスト域１，２では、補強弾性部材３５だけでなく、ウエスト弾性部材１８も取り付けることとしているので、前後ウエスト域１，２全体の内外面シート１４，１５，１６，１７を破れにくくすることができる。補強弾性部材３５とウエスト弾性部材１８とは、実質的に同じ弾性部材であるので、補強弾性部材３５を特別な材料とする必要がなく、製造コストを抑えることができるとともに、これら弾性部材を同時に取り付けることが可能なので、製造工程を増加させることもない。
【００３３】
補強手段として補強弾性部材３５を用いているが、伸縮性を有するシートや非伸縮性の繊維不織布などを用いることもできる。いずれの場合にも、ウエスト側開口縁１９に取り付けることが必要である。補強手段として弾性部材を用いたり、伸縮性を有するシートを用いたりした場合には、前後ウエスト域１，２のベルト部材４を周方向Ｒに収縮させることができるので、ウエスト開口からの排泄物の漏れを防止することができる。
【００３４】
この実施形態では、いわゆるパンツタイプのおむつについて説明しているが、オープンタイプのおむつにも適用できることは当然である。また、前後ウエスト域１，２を構成するベルト部材４と、股下域３を構成する吸液構造体５とが別部材で形成されているものについて説明しているが、前後ウエスト域と股下域とが同じ部材で形成されているものでもよい。例えば内外面シートで前後ウエスト域および股下域を形成し、内面シートの身体側に吸液構造体が配置されているもの、あるいは内外面シートの間に吸液構造体が配置されているものであってもよい。いずれの場合にも、少なくとも前後ウエスト域の４０％以上に着用者の肌の透視可能領域を有する。この実施形態では、前後ベルト部６，７を前後ウエスト域としているが、他のパンツタイプあるいはオープンタイプ等のおむつでは、ウエスト側開口縁から前後方向に約２７％までの部分を前後ウエスト域とみなすことができる。
【００３５】
内外面シートは、一枚の繊維不織布を折り曲げることで形成されることとしているが、内外面シートを別々のシートから形成し、これら二枚のシートを貼りあわせるようにしてもよい。また、一枚の繊維不織布によって内外面シートを形成していてもよい。その場合であっても、これら内外面シートのウエスト側開口縁に補強手段を備えることによって、繊維不織布の強度を担保することができる。内外面シートは吸液性の繊維不織布で構成されることが望ましいが、必ずしも吸液性を有するものでなくてもよい。
【００３６】
この第１の実施形態では、内外面シート１４，１５，１６，１７は、それぞれ重ね合わせる前の一枚の状態における繊維不織布の全光線透過率を８０％以上としているが、７０％以上のものであればよい。このように全光線透過率が７０％以上であれば、内外面シートを重ね合わせた場合であっても、全光線透過率を５５％以上とすることができ、着用者の肌を透視可能だからである。前後ベルト部６，７と吸液構造体５とが重なった第１および第２接合域２６，２７の面積を各前後ウエスト域１，２の２５％としているがこの値に限定するものではなく、これが１５％〜３０％の範囲内にあることが好ましい。
第１および第２接合域２６，２７は、ウエスト側開口縁１９に到達するようなものであってもよい。すなわち、吸液構造体５が一方のウエスト側開口縁１９から他方のウエスト側開口縁１９に亘って取り付けられていてもよい。この場合には着用者の肌の透視可能な領域が減少するが、吸液構造体を広くすることができ排泄物の漏れを防止することができる。
【００３７】
図４は、本発明の第２の実施形態を示したものである。この実施形態では、内外面シート１４，１５および内外面シート１６，１７に、おむつの厚さ方向に貫通する複数の貫通孔３６を形成することを特徴とする。他の構成は第１の実施形態と同様であるので、その構成についての詳細な説明を省略する。貫通孔３６は、直径１〜２ｍｍであり、内外面シート１４，１５および内外面シート１６，１７の全面に亘って形成されている。貫通孔３６は、前後方向Ｙに対して８〜１０ｍｍの間隔で、幅方向Ｘに対して５〜２０ｍｍの間隔で均等に形成される。
【００３８】
図５は図４のＶ−Ｖ線端面図である。図示したように、貫通孔３６は内外面シート１４，１５および内外面シート１６，１７を厚さ方向に貫通している。貫通孔３６は、補強弾性部材３５とウエスト弾性部材１８との間、あるいはウエスト弾性部材１８どうしの間に形成されている。
【００３９】
このように貫通孔３６を形成することによって、この貫通孔３６からは直に着用者の肌が視認される。全光線透過率が５５％以上の内外面シート１４，１５，１６，１７では着用者の肌が透視可能であり、かつ、貫通孔３６では肌が直に視認されるから、より一層むれにくく、涼しげなおむつを提供することができる。貫通孔３６は弾性部材１８，３５の間に取り付けられるので、弾性部材１８，３５によって貫通孔３６からの着用者の肌の視認が妨げられることがない。ただし、一部の貫通孔３６が補強弾性部材３５あるいはウエスト弾性部材１８と重なって取り付けられてもよい。
この第２の実施形態において、内外面シート１４，１５，１６，１７の全域に貫通孔３６を形成することとしているが、吸液構造体５が重なっていない領域で形成すればよく、必ずしも全面に形成する必要はない。
【符号の説明】
【００４０】
Ａ    シャーシ
１    前ウエスト域
２    後ウエスト域
３    股下域
１２    身体側内面
１３    着衣側外面
１９    ウエスト側開口縁
３４    折曲部
３５    補強弾性部材（補強手段）
【図１】
0005762465.tif 000004
【図２】
0005762465.tif 000005
【図３】
0005762465.tif 000006
【図４】
0005762465.tif 000007
【図５】
0005762465.tif 000008